(57)【要約】【課題】トリハロメタンが発生せず、かつ安価に運用できる温水槽内トリハロメタン抑制システムを提供する。【解決手段】入浴用、遊泳用、治療用などの湯を供給する原水供給路と、原水を満たす温水槽と、温水槽の湯を循環するために温水槽に開口した排水口と、排水口から回収した循環湯を流す還水路と、還水路に順に設けた集塵器と、加圧ポンプと電解水製造装置とによって構成する。電解水製造装置で酸性水を製造し、この酸性水を還水路に供給する。【選択図】図１
2009285608.tif 000002
【特許請求の範囲】
【請求項１】
入浴用、遊泳用、治療用などの湯を供給する原水供給路と、
原水を満たす温水槽と、
温水槽の湯を循環するために温水槽に開口した排水口と、
排水口から回収した循環湯を流す還水路と、
還水路に設けた集塵器と、加圧ポンプと、還水路の循環湯を温水槽に戻す供給口と、
還水路に酸性水を供給する電解水製造装置とによって構成し、
温水槽へ供給する原水供給路、あるいは環水路に塩素供給装置を設け、
この塩素供給装置から、原水あるいは循環湯に塩素を供給するよう構成し、
電解水製造装置では、食塩水や塩酸を電解して酸性水を製造し、
この酸性水を、還水路に供給し、
温水槽内でのトリハロメタンの発生を抑制できるよう構成した、
温水槽内トリハロメタン抑制システム。
【請求項２】
温水槽の外部には温水槽からあふれた湯が流れ込む越流溝を設け、
この越流溝から回収した循環湯を、
排水口から回収した循環湯とともに還水路に供給する、
請求項１記載の温水槽内トリハロメタン抑制システム。
【発明の詳細な説明】
【技術分野】
【０００１】
本発明は、温水槽内トリハロメタン抑制システムに関するものである。
【背景技術】
【０００２】
最近の銭湯、介護施設、温泉施設、温水プールなどでは、温水槽内の湯を全部排出して入れ替えるのではなく、循環系の中に殺菌装置を組み込んで繰り返し利用するシステムが利用されている。
【発明の開示】
【発明が解決しようとする課題】
【０００３】
上記したような現行の温水槽システムにあっては、循環系の内部に殺菌手段を介在させる必要がある。
殺菌手段としては、塩素による殺菌が一般的であるが、その殺菌手段には次のような問題がある。
＜イ＞  塩素は安価でかつ強力な殺菌作用を期待できるが、しかし塩素とフミン質等の有機物質が結合してトリハロメタンが発生する可能性があり、これが浴室内のガス状に拡散すると、人体に悪い影響を及ぼす場合がある。
＜ロ＞  殺菌を確実にするために、過剰な塩素を投入しがちであり、その場合には温泉の成分が変質して、良好な水質の維持が困難となる。
＜ハ＞  湯の中に溶けた過剰な塩素が、入浴者に不快な臭気を与えたり、肌を刺激する場合がある。
＜ニ＞  過剰な塩素が、湯の循環系のパイプ、関連機器の腐食の進行を促進させてしまう。
＜ホ＞  一方、電気分解によって殺菌を行う方法も知られており、この方法では殺菌力は高く即効性がある。しかしこの装置は食塩や塩酸を消費するものであってランニングコストが高いという不経済な側面を有している。
【課題を解決するための手段】
【０００４】
上記のような従来の装置の課題を解決した本発明は、入浴用、遊泳用、治療用などの湯を供給する原水供給路と、原水を満たす温水槽と、温水槽の湯を循環するために温水槽に開口した排水口と、排水口から回収した循環湯を流す還水路と、還水路に設けた集塵器と、加圧ポンプと、還水路の循環湯を温水槽に戻す供給口と、還水路に酸性水を供給する電解水製造装置とによって構成し、温水槽へ供給する原水供給路、あるいは環水路に塩素供給装置を設け、この塩素供給装置から、原水あるいは循環湯に塩素を供給するよう構成し、電解水製造装置では、食塩水や塩酸を電解して酸性水を製造し、この酸性水を、還水路に供給し、温水槽内でのトリハロメタンの発生を抑制できるよう構成した、温水槽内トリハロメタン抑制システムを特徴としたものである。
【発明の効果】
【０００５】
本発明の温水槽内トリハロメタン抑制システムは以上説明したようになるから次のような効果を得ることができる。
＜イ＞  塩素による殺菌は補助的であり、電解水製造装置によって製造した酸性水による殺菌を基本としている。そのためにトリハロメタンの発生を抑制することができる。
＜ロ＞  一部に塩素を使用して殺菌を行うことも併用しているから、すべての殺菌を電気分解に依存する方法と比較してきわめて経済的である。
＜ハ＞  塩素を低く抑制できるから、温泉の水質が変化せず、自然のままに維持することができる。
＜ニ＞  不快な臭いや、肌への刺激がきわめて少ない。
【発明を実施するための最良の形態】
【０００６】
以下図面を参照しながら本発明の温水槽内トリハロメタン抑制システムの実施例を説明する。
【実施例】
【０００７】
＜１＞全体の構成。
本発明の温水槽内トリハロメタン抑制システムは、温水槽１と還水路ｐ１で循環系を構成と、その循環系の間に設置する集塵器３、ポンプ４、および循環路に酸性水を供給する電解水製造装置６によって構成する。
なお、この設置の順序は固定したものではなく、設置順序を前後させることも可能である。
また、異物を除去するろ過器、温水を貯める貯湯タンク、温水が冷めた場合に加熱するボイラーなどの諸設備は、現場の状況によって追加することもあるが、それらは公知の設備であって本発明の特徴ではないので説明を省略する。
【０００８】
＜２＞温水槽。
温水槽１は入浴用、遊泳用、治療用などの湯を満たす容器である。
温水槽１の最深部には、排水口１１を開口してある。
この排水口１１は、温水槽１内の湯を再利用する目的で循環させるために開口した排水口である。
さらに温水槽１の周囲には越流溝２を配置する。
この越流溝２は、温水槽１からあふれた湯が流れ込むための溝である。
【０００９】
＜３＞塩素供給装置。
水道や井戸あるいは温泉源から、原水供給路ｐ０を通して、水あるいは温水を温水槽に供給する。
この原水供給路ｐ０には、外部から塩素を供給するための塩素供給装置７を取り付ける。
前記したように従来のシステムでは、この塩素供給装置７から供給する塩素によって殺菌を行うことだけに依存していた。
そのために、安価ではあるが、刺激臭や肌に対する違和感が発生し、かつフミン質などと結合してトリハロメタンを発生させる可能性があった。
ここでトリハロメタンとは、メタンを構成する4つの水素原子の内3つが塩素、臭素、ヨウ素等のハロゲン化合物に置換されたものである。
水道水質基準では、その中でクロロホルム（CHCl3）、ブロモジクロロメタン（CHBrCl2）、ジブロモクロロメタン（CHBr2Cl）、ブロモホルム（CHBr3）の4物質を対象としており、これらを総トリハロメタンと総称する。
浄水処理過程の塩素殺菌処理において原水中の有機物、特にフミン質等の有機物質（トリハロメタン前駆物質）が分解・塩素化して生成する。
このように、塩素殺菌にだけ依存すると、安価ではあるが、しかしトリハロメタンを発生させる可能性が高くなる、問題があった。
なお塩素供給装置７は、循環路ｐ１に取り付けて塩素を供給することも可能である。
【００１０】
＜４＞還水路。
還水路ｐ１は温水槽内の循環湯を循環経路へ送るためのパイプである。
この還水路ｐ１は、排水口１１および越流溝２と、後述する諸機器に連結し、あるいは外部から酸性水の供給を受けうるように連結している。
その結果、温水槽１や越流溝２から回収した循環湯を、還水路ｐ１を通して各種の後述する装置を通して再度温水槽１の供給口１２から温水槽１に戻すことができる。
【００１１】
＜５＞集塵器、ポンプ。
還水路ｐ１には、まず集塵器３と、加圧ポンプ４とを設置する。
集塵器３は目の細かい金網などを利用した物理的な集塵装置である。
集塵器３は循環湯の中に含まれる主に毛髪などを集めて回収して廃棄するための装置である。
加圧ポンプ４は、通常の電動あるいは燃料で駆動して流体を加圧するための市販のポンプである。
このポンプ４は、排水口１１から取り出した循環湯が、循環して再度温水槽１に到達するように加圧するために設置する。
なお、この順序は前後することも可能である。
【００１２】
＜６＞電解水製造装置。
還水路ｐ１に酸性水を供給するために、還水路ｐ１には電解水製造装置６を取り付ける。
電解水製造装置６とは、食塩水や塩酸を電気分解するための公知の装置である。
この電解水製造装置６に外部から外部水を供給し、この外部水に塩を混合して食塩水とし、これを電気分解して酸性電解水とアルカリ性電解水を製造する。
電解水の無塩タイプは、塩酸を電解するため酸性水だけを生成できるタイプである。
その中で、強酸性電解水は高い除菌能力を有し、臭いが少なく、機器を錆びさせにくい、という特徴がある。
なお厚生労働省は、電解水を「次亜塩素酸水」の名で「殺菌料」として食品添加物に指定している。
したがってこの電解水製造装置６から供給する酸性水は、温水槽の内部で例え使用者の口に入っても問題がない。
ただしこの装置は、食塩や塩酸を使用するためにランニングコストがかかり、食品調理に使用する程度ならともかく、温水槽１のような大量の湯を対象に処理するには経済的ではない。
その点、本発明のシステムは、一部に安価な塩素殺菌も併用し、電解水製造装置６だけで殺菌するものではないから、電解水製造装置６による分解量、分解時間は従来よりもはるかに少なくてすみきわめて経済的である。
電解水製造装置６で分解した酸性水は、還水路ｐ１に注入、供給する。
分解してアルカリ水が発生する場合には、アルカリ水タンク６１に貯蔵して他の洗浄用途に使用する。
なおアルカリ水が発生しないタイプの電解水製造装置６を使用することもでき、その場合にはアルカリ水タンクは不要である。
【００１３】
＜７＞湯の循環。
温水槽１内の湯は、排水口１１、あるいは越流溝２から還水路ｐ１に流入する。
その循環湯には、循環の途中で電解水製造装置６で製造した酸性水が添加されて供給口１２から温水槽１に供給される。
こうして酸性水を利用した殺菌回路が完成する。
この電解水製造装置６を使用する回路での殺菌は、前記したように強力、迅速で効果的であるが、ランニングコストがかかるという問題がある。
一方、温水槽１へ供給する原水、あるいは循環湯には塩素供給装置から塩素が供給されて殺菌も行われる。
この方式による殺菌は、安価であるが、トリハロメタンの発生を促進するという問題がある。
本発明は、あえて上記の利害の相反する二種類の殺菌システムを併用したものである。
その結果、このシステムを採用した銭湯、介護施設、温泉施設、温水プールなどでは、二種類の殺菌システムの有効性と経済性から、最も効率の高い点を探してその施設独自の活用ができるという価値を備えている。
【図面の簡単な説明】
【００１４】
【図１】本発明の温水槽内トリハロメタン抑制システムの実施例の説明図。
【符号の説明】
【００１５】
１：温水槽
２：越流溝
３：集塵器
４：ポンプ
６：電解水製造装置
７：塩素供給装置
【図１】
2009285608.tif 000003